(57)【要約】【課題】小さな表示面しか確保することのできない機器であっても、画像データを分類整理する操作を視覚的に分かり易く支援することを実現した画像管理装置を提供する。【解決手段】ＣＰＵ２１は、画像記録媒体２６に格納された画像データを予め設けられたアルバムに分類整理してグループとして管理しており、例えば画像データをいずれかのアルバムに登録する場合、すべてのグループを選択肢として並べた画面を画像表示部２５に表示させる。この際、ＣＰＵ２１は、少なくとも１つが画像データが登録されているアルバムには実物のアルバムが開かれた状態を模した形状のオブジェクトを用い、その時点では１つの画像データも登録されていないアルバムについては実物のアルバムが閉じられた状態を模した形状のオブジェクトを用いてアルバムの一覧表示を実行する。【選択図】      図２
2006148874.tif 000002
【特許請求の範囲】
【請求項１】
画像データをグループとして管理する画像管理装置において、
分類整理用に予め設けられたアルバムに登録された画像データを、グループとして管理する管理部と、
登録された画像データが存在する状態を示す第１のオブジェクトと、登録された画像データが存在しない状態を示す第２のオブジェクトとを用いて、画像データの登録有無が識別されるように前記アルバムを表示する表示制御部と
を具備することを特徴とする画像管理装置。
【請求項２】
前記第１のオブジェクトは、そのアルバムに登録された画像データの中のいずれかの画像を代表画像として含み、かつこの代表画像を鑑賞すべくアルバムが開かれた状態を模した形状を有し、
前記第２のオブジェクトは、アルバムが閉じられた状態を模した形状を有する
ことを特徴とする請求項１記載の画像管理装置。
【請求項３】
前記予め設けられた複数のアルバムの中の少なくとも１つは、動画像データを登録するために用意される動画像データ登録用のアルバムであり、
前記表示制御部は、動画像データ登録用のアルバムに用いられる第１または第２のオブジェクトに、動画像データ登録用であることを識別するための記号を添付させて表示する
ことを特徴とする請求項１記載の画像管理装置。
【請求項４】
前記予め設けられた複数のアルバムそれぞれには、画像データの登録数量に上限が定められており、
前記表示制御部は、画像データの登録数が上限に達しているアルバムであることを識別するための記号を、前記第１のオブジェクトに添付させて表示する
ことを特徴とする請求項１記載の画像管理装置。
【請求項５】
前記表示制御部は、登録されたすべての画像データに対して特定の処理を施す一括処理の指定がなされたアルバムであることを識別するための記号を、前記第１のオブジェクトに添付させて表示する
ことを特徴とする請求項１記載の画像管理装置。
【請求項６】
請求項１から５のいずれかに記載の画像管理装置を備え、
前記画像管理装置の管理部は、記録媒体に記録された撮像画像の画像データを管理する
ことを特徴とするカメラ。
【請求項７】
請求項３に記載の画像管理装置と、
静止画像および動画像を選択的に撮像可能な撮像部と、
前記撮像部により動画像が撮像された場合、その動画像データを動画像データ登録用のアルバムに登録する登録部とを具備する
ことを特徴とするカメラ。
【請求項８】
画像データをグループとして管理する画像管理装置において、
分類整理用に予め設けられたアルバムに登録された画像データを、グループとして管理する管理部と、
前記アルバムに登録された画像データの順番を並び替える並び替え部とを具備し、
前記並び替え部は、
各画像データの順番を示す第１のオブジェクトを配列させて表示すると共に、並び替え対象の画像データの移動先を指示するための第２のオブジェクトを前記第１のオブジェクトの配列上に表示する
ことを特徴とする画像管理装置。
【請求項９】
前記並び替え部は、前記第２のオブジェクトで指示された移動先の前後いずれかに位置する前記第１のオブジェクトに対応する画像データの画像を前記第１のオブジェクトの配列と共に表示する
ことを特徴とする請求項８記載の画像管理装置。
【請求項１０】
前記並び替え部は、並び替え対象の画像データが選択された際、その画像を前記第１のオブジェクトの配列と共に表示する
ことを特徴とする請求項８または９記載の画像管理装置。
【請求項１１】
請求項８から１０のいずれかに記載の画像管理装置を備え、
前記画像管理装置の管理部は、記録媒体に記録された撮像画像の画像データを管理する
ことを特徴とするカメラ。
【請求項１２】
画像データをグループとして管理する画像管理装置において、
分類整理用に予め設けられたアルバムに登録された画像データを、グループとして管理する管理部と、
アルバムを代表する代表画像と、登録されたすべての画像データに対して特定の処理を施す一括処理の指定がなされたアルバムであることを識別するための記号を、添付させてアルバムを表すオブジェクトを表示する表示制御部を備える
ことを特徴とする画像管理装置。
【請求項１３】
分類整理用に予め設けられたアルバムに登録された画像データを、グループとして管理する画像管理装置の表示方法であって、
登録された画像データが存在するアルバムについては、そのアルバムに登録された画像データの中のいずれかの画像を代表画像として含み、かつ、この代表画像を鑑賞すべくアルバムが開かれた状態を模した形状を有する第１のオブジェクトを用い、
登録された画像データが存在しないアルバムについては、アルバムが閉じられた状態を模した形状を有する第２のオブジェクトとを用いて、画像データの登録有無が識別されるように前記アルバムを表示する
ことを特徴とする画像管理装置の表示方法。
【請求項１４】
分類整理用に予め設けられたアルバムに登録して、画像データをグループとして管理する管理手段を備えた画像管理装置の表示方法であって、
前記アルバムに登録された画像データの順番を並び替える際、各画像データを示す第１のオブジェクトを配列させて表示すると共に、
並び替え対象の画像データの移動先を指示するための第２のオブジェクトを前記第１のオブジェクトの配列上に表示する
ことを特徴とする画像管理装置の表示方法。
【請求項１５】
分類整理用に予め設けられたアルバムに登録して、画像データをグループとして管理する管理手段を備えた画像管理装置を、
登録された画像データが存在するアルバムについては、そのアルバムに登録された画像データの中のいずれかの画像を代表画像として含み、かつ、この代表画像を鑑賞すべくアルバムが開かれた状態を模した形状を有する第１のオブジェクトを用い、登録された画像データが存在しないアルバムについては、アルバムが閉じられた状態を模した形状を有する第２のオブジェクトとを用いて、画像データの登録有無が識別されるように前記アルバムを表示するように動作させるためのプログラム。
【請求項１６】
分類整理用に予め設けられたアルバムに登録して、画像データをグループとして管理する管理手段を備えた画像管理装置を、
前記アルバムに登録された画像データの順番を並び替える際、前記アルバム内の画像データの並びを視覚的に示すために、各画像データを示す第１のオブジェクトを配列させて表示すると共に、並び替え対象の画像データの移動先を指示するための第２のオブジェクトを前記第１のオブジェクトの配列上に表示するように動作させるためのプログラム。
【発明の詳細な説明】
【技術分野】
【０００１】
この発明は、例えばデジタルカメラや携帯端末等、小さな表示面しか確保することのできない機器において、画像データを分類整理する操作を視覚的に分かり易く支援するためのユーザインタフェース技術に関する。
【背景技術】
【０００２】
近年、半導体メモリの大容量化および低価格化が進んでおり、デジタルカメラや携帯端末などでも大容量の半導体メモリが使用されるようになってきている。これに伴い、１つの記録媒体に記録可能な画像数は増加の一途を辿っており、これら大量の画像の中から目的の画像を効率良く見つけ出すために、例えばアルバムなどと称されるグループ単位で画像データを分類整理する手法が種々提案されている（例えば特許文献１〜４等参照）。
【０００３】
また、各アルバムでグループとして管理される画像データは、撮影日時順やアルバムへの登録順で並べられるのが一般的であるが、その順番をユーザが任意に並び替えるための手法も種々提案されるに至っている（例えば特許文献５，６等参照）。
【特許文献１】特開平７−２９５８７３号公報
【特許文献２】特開２００３−１９９０２８号公報
【特許文献３】特開２００３−３０３２１１号公報
【特許文献４】特開平１１−２３２４４０号公報
【特許文献５】特開平１−４４１８１号公報
【特許文献６】特開２００４−９６６６８号公報
【発明の開示】
【発明が解決しようとする課題】
【０００４】
ところで、デジタルカメラや携帯端末などでは、高機能化や多機能化と並んで、小型軽量化の要望も強い。そして、この小型軽量化の要望に応えるためには、搭載可能な入力装置や表示装置の規模も限定されることになる。これに伴い、アルバムを用いて画像データを分類整理するにあたっても、各アルバムについての多くの情報を操作機会を増やさずに提示できるようにしたり、限られた表示領域でも適切かつ視覚的に操作を誘導できるようにする等の工夫が必要である。
【０００５】
しかしながら、前述の特許文献１〜６では、これら小型軽量化を図る上での工夫がなされておらず、何らかの対処が強く求められていた。
【０００６】
この発明は、このような事情を考慮してなされたものであり、例えば小さな表示面しか確保することのできない機器であっても、画像データを分類整理する操作を視覚的に分かり易く支援することを実現した画像管理装置、カメラおよび画像管理装置の表示方法を提供することを目的とする。
【課題を解決するための手段】
【０００７】
前述した目的を達成するために、この発明の画像管理装置は、画像データをグループとして管理する画像管理装置において、分類整理用に予め設けられたアルバムに登録された画像データを、グループとして管理する管理部と、登録された画像データが存在する状態を示す第１のオブジェクトと、登録された画像データが存在しない状態を示す第２のオブジェクトとを用いて、画像データの登録有無が識別されるように前記アルバムを表示する表示制御部とを具備することを特徴とする。
ここで、画像管理装置は  実施例では画像管理装置２０に相当する。管理部、表示制御部は、ＣＰＵ２１の管理部２１ａ、表示制御部２１ｂに相当する。また、第１のオブジェクト、第２のオブジェクトは、オブジェクトｄ１、オブジェクトｄ２に相当する。
【０００８】
また、この発明の画像管理装置は、画像データをグループとして管理する画像管理装置において、分類整理用に予め設けられたアルバムに登録された画像データを、グループとして管理する管理部と、前記アルバムに登録された画像データの順番を並び替える並び替え部とを具備し、前記並び替え部は、各画像データを示す第１のオブジェクトを配列させて表示すると共に、並び替え対象の画像データの移動先を指示するための第２のオブジェクトを前記第１のオブジェクトの配列上に表示することを特徴とする。
ここで、画像管理装置は  実施例では画像管理装置２０に相当する。管理部と並び替え部は、実施例ではＣＰＵ２１の管理部２１ａ、並び替え部２１ｄに相当する。第１のオブジェクト、第２のオブジェクトは、実施例ではオブジェクトｈ０、オブジェクトｈ３に相当する。
【発明の効果】
【０００９】
この発明によれば、例えば小さな表示面しか確保することのできない機器であっても、画像データを分類整理する操作を視覚的に分かり易く支援することを実現した画像管理装置、カメラおよび画像管理装置の表示方法を提供することができる。
【発明を実施するための最良の形態】
【００１０】
以下、図面を参照してこの発明の実施形態について説明する。
【００１１】
（第１実施形態）
まず、この発明の第１実施形態について説明する。ここでは、本発明の画像管理装置がデジタルカメラに適用された場合の例を示す。図１は、本実施形態に係るデジタルカメラ１００を後方から見た場合の外観図である。
【００１２】
図１に示すように、このデジタルカメラ１００の筐体面には、電源をオン／オフするための電源ボタン１、撮影レンズの変倍調整を行うためのズームレバー２、カメラの動作モードを切り換えるためのモードダイヤル３、メニュー操作を行うためのＸＹ操作ボタン４およびＯＫボタン５、画像を表示するための表示画面６が設けられている。ＸＹ操作ボタン４は、左右上下の４方向への指示ボタンをユニット化にしたボタンである。
【００１３】
図２は、このデジタルカメラ１００の概略構成を示すブロック図である。図２に示すように、このデジタルカメラ１００は、大きく分けて、画像撮像装置１０と画像管理装置２０との２つの装置から構成されている。
【００１４】
画像撮像装置１０は、レンズ１１、レンズ駆動部１２、撮像素子１３、撮像部１４を有しており、レンズ１１を通過した被写体光が撮像素子１３に入射することで、その撮影面上に被写体像が結像される。レンズ駆動部１２は、専用信号線を介して画像管理装置２０側からの制御信号を受け取り、この制御信号に基づき、レンズ１１を駆動する。また、撮像部１４は、画像管理装置２０に敷設されたシステムバスに接続され、このシステムバス経由の通信により画像管理装置２０側からの指令を受け取り、この指令に基づき、撮像素子１３の露光や読み出し等の各種制御を実行する。そして、撮像部１４は、撮像素子１３から読み出した画像信号を、このシステムバス経由の通信により画像管理装置２０側に送信する。
【００１５】
一方、画像管理装置２０は、ＣＰＵ２１、ＲＯＭ２２、本体操作部２３、画像処理部２４、画像表示部２５、画像記録媒体２６を有している。本体操作部２３は、電源ボタン１、ズームレバー２、モードダイヤル３、ＸＹ操作ボタン４、ＯＫボタン５等から構成される。ＣＰＵ２１は、画像撮像装置１０を含むこのデジタルカメラ１００全体の制御を司るものであり、ＲＯＭ２２に格納された制御プログラムの記述に従い、図１に示した電源ボタン１、ズームレバー２、モードダイヤル３、ＸＹ操作ボタン４、ＯＫボタン５に対応する本体操作部２３からの通知に基づき、各部を動作制御する。この制御プログラムを格納するＲＯＭ２２は、電気的に書き換えが可能なフラッシュメモリで構成されている。
そして、ＣＰＵ２１は制御プログラムを読み込んで実行することにより、管理部２１ａ、表示制御部２１ｂ、登録部２１ｃ、並び替え部２１ｄを各機能要素として有する。管理部２１ａは、画像データをグループとして管理するものである。表示制御部２１ｂは、画像表示部２５へ表示される画像を制御するものである。登録部２１ｃは、画像のアルバムへの登録処理をするものである。並び替え部２１ｄは、アルバム内の画像の順番を並び替えする処理をするものである。詳細は後述する。
【００１６】
画像処理部２４は、画像撮像装置１０側からシステムバスに出力された画像信号を受け取り、ＩＳＯ感度設定、オートホワイトバランス、輝度／色信号生成、ガンマ処理等を施すことにより、所定フォーマットのカラー画像信号を生成する。カラー画像信号は、表示出力に適した形態に変換されて画像表示部２５に供給され、モニタ画として図１に示した表示画面６にリアルタイムに表示されると共に、記録に適した形態に変換、つまり圧縮符号化されて画像記録媒体２６に撮像画像として記録される。この画像記録媒体２６に記録された撮像画像は、画像再生モード時、画像処理部２４によって読み出され、伸長復号化が施されて画像表示部２５により表示画面６に表示される。
【００１７】
このデジタルカメラ１００では、この画像記録媒体２６に記録された撮影画像を、予め設けられた複数の「組」に分類整理することによって、撮影画像をグループとして管理することができる。この「組」は、写真が貼られて整理される従来のアルバムと同じような感覚で利用されるので、以降この「組」を「アルバム」と称す。
各アルバムにどの画像データが登録されているのか等の情報は、画像記録媒体２６内の所定のディレクトリに格納され、管理部２１ａは、この情報を使って画像データのアルバム単位での分類整理を各画像記録媒体２６毎に実行する。そして、このデジタルカメラ１００は、このアルバムに関連して提供するユーザインタフェースに特長を有しており、以下、この点について詳述する。
【００１８】
このデジタルカメラ１００で画像データをアルバムに登録する場合、まず、モードダイヤル３を操作して、動作モードを再生モードに設定する。より具体的には、図１に示すモードダイヤル３上のマークａ１を選択位置に合わせるべく回転させる。この操作を本体操作部２３から通知された表示制御部２１ｂは、画像記録媒体２６に記録された画像データを読み出し、この画像データからサムネイル画像などと称される縮小画像を画像処理部２４に作成させて、この画像を例えば３段×３列のマトリックス状に９枚ずつ選択肢として配列した一覧画面を画像表示部２５に表示させる。図３は、この時に表示画面６に表示される一覧画面の一例を示す図である。
【００１９】
この一覧画面では、一度に９枚の画像が提示されるので、その中に目的の画像が含まれていたら、その画像をＸＹ操作ボタン４で選択してＯＫボタン５を押下する。ここでは、中央段中央列の１３８番の画像が選択されたものとする。この操作を本体操作部２３から通知された表示制御部２１ｂは、選択された縮小画像を全画面表示するため、全画面表示用の画像を画像処理部２４に作成させて画像表示部２５に表示させる。
【００２０】
選択された画像が表示画面６に全画面表示されると、今度は、この画像を登録するアルバムを選択する。そのために、まず、メニューを表示させる操作を行う。ここでは、この状態でのＯＫボタン５の押下が当該操作に対応するものとする。この操作を本体操作部２３から通知された表示制御部２１ｂは、表示中の画像に重畳させてメニューを表示するように画像処理部２４および画像表示部２５に指示する。図４は、この時に表示画面６に表示されるメニューの一例を示す図である。
【００２１】
最初に表示されるトップメニューには、「自動再生」、「モードメニュー」、「１コマ消去」、「情報表示」の各項目が表示されるので、次に、この中から「モードメニュー」ｂをＸＹ操作ボタン４およびＯＫボタン５で選択する。この操作を本体操作部２３から通知されたＣＰＵ２１は、続いて、表示制御部２１ａによって、図５に示すようなサブメニューを表示中の画像に重畳させて表示するように、画像処理部２４および画像表示部２５に指示する。図示のように、このサブメニューとして表示される項目の１つに、「アルバム登録」が存在するので、ＸＹ操作ボタン４およびＯＫボタン５を操作して、この「アルバム登録」ｃを選択する。そして、この操作を本体操作部２３から通知された表示制御部２１ａは、図６に示すように、このデジタルカメラ１００で予め用意されたアルバムすべてを選択肢として一覧表示する。
【００２２】
このデジタルカメラ１００では、画像データを分類整理するために、１２個のアルバムが設けられている。つまり、この画面上に一覧表示されたアルバムの中から、先に選択した画像データを登録するアルバムを選択するわけである。そして、この選択を支援するために、このデジタルカメラ１００は、種々の情報を限られた表示領域内でも視覚的に分かり易く表示する。
【００２３】
表示制御部２１ａは、まず、各アルバムを選択肢として一覧表示するにあたり、オブジェクトｄ１およびオブジェクトｄ２の異なった形状の２つのオブジェクトを使い分ける。オブジェクトｄ１は、少なくとも１つは画像データが登録されているアルバムについて使用するオブジェクトであり、一方、オブジェクトｄ２は、その時点では１つの画像データも登録されていないアルバムについて使用するオブジェクトである。なお、このオブジェクトや後述するマークを表示するための画像データは、すべてＲＯＭ２２に格納されている。
【００２４】
つまり、１２個のアルバムのうち、アルバム１，２，３，６，１２の５個のアルバムには画像データが登録されており、アルバム４，５，７，８，９，１０，１１の７個のアルバムには画像データが登録されていないことが、この表示で一目でわかることになる。この画像データの登録有無を直感的に把握容易とするために、オブジェクトｄ１は実物のアルバムが開かれた状態を模した形状、オブジェクトｄ２は実物のアルバムが閉じられた状態を模した形状となっている。さらに、表示制御部２１ａは、オブジェクトｄ１について、そのアルバムの代表画像を画像記録媒体２６から読み出し、その縮小画像を画像処理部２４に作成させて添付する。代表画像は、典型的には、そのアルバムで最初に登録された画像データや撮像日時の最も古い画像データの画像等である。
【００２５】
また、表示制御部２１ａは、少なくとも１つは画像データが登録されているアルバム、つまりオブジェクトｄ１が使用されて一覧表示されるアルバムについて、その大凡の画像データ登録数がわかるように、各登録数に応じて、実物のアルバムの厚みを模したようなオブジェクトであるマークｄ３〜ｄ５のいずれかを添付する。このデジタルカメラ１００では、各アルバムの登録数に上限が定められており、アルバム３のオブジェクトｄ１に添付されたマークｄ３は、その登録数が上限の半分に満たないことを表している。また、アルバム１のオブジェクトｄ１に添付されたマークｄ４は、その登録数が上限の半分を越えていることを表しており、アルバム２のオブジェクトｄ１に添付されたマークｄ５は、その登録数が既に上限に達していることを表している。この表示によって、アルバム１，２，３，６，１２の登録状況が一目でわかることになる。アルバムの選択は、四角の枠形状であるフォーカスｄ６をＸＹ操作ボタン４で上下左右に動かしてセットすることにより行うが、画像データの登録時には、既に満杯であるアルバム２は、このフォーカスｄ６がスキップされる。その際、マークｄ５が添付されているので、なぜフォーカスｄ６がアルバム２をスキップしたのかを容易に理解させることができる。
【００２６】
さらに、このデジタルカメラ１００は、静止画像のほか、動画像を撮像することが可能である。そこで、このデジタルカメラ１００では、１２個のアルバムのうち、アルバム１２を動画像専用のアルバムとして用意し、ＣＰＵ２１は、動画像用であることを示すマークｄ７をアルバム１２のオブジェクトｄ１（未登録状態ではオブジェクトｄ２となる）に添付する。これにより、動画像データを登録する場合、登録先とすべきアルバムがアルバム１２であることが一目でわかることになる。なお、動画像については、その撮像時に、登録部２１ｃによりこの動画像用のアルバム１２に自動的に登録するようにしても良い。
【００２７】
ところで、消去防止や印刷予約などの画像データに対する設定を、グループ単位で一括して行うことができると便利である。このデジタルカメラ１００においては、これらの一括処理の設定をアルバム単位で行えるようにする。そこで、表示制御部２１ａは、この一括処理の設定がなされていることを示すマークｅ１，ｅ２を、図７に示すように該当のオブジェクトｄ１に添付する。マークｅ１は、消去防止がアルバム単位で設定されていることを表しており、マークｅ２は、印刷予約がアルバム単位で設定されていることを表している。つまり、１２個のアルバムのうち、アルバム３は消去防止の一括処理が設定され、アルバム６は印刷予約の一括処理が設定されていることが一目でわかることになる。
【００２８】
以上のように、このデジタルカメラ１００では、種々の情報が視覚的に分かり易く表示されるので、１２個のアルバムの中から画像データの登録先とする最適のアルバムを効率的に選択することができる。この選択操作が本体操作部２３から通知されると、ＣＰＵ２１の登録部２１ｃは、画像データを当該アルバムに登録する。
【００２９】
なお、このように登録される画像データをアルバム単位で再生する場合は、まず、操作者はモードダイヤル３を操作して、動作モードをアルバムモードに設定する。より具体的には、操作者は図１に示すモードダイヤル３上のマークａ２を選択位置に合わせるべく回転させる。この操作を本体操作部２３から通知された表示制御部２１ｂは、表示中の画像に重畳させてメニューを表示するように画像処理部２４および画像表示部２５に指示する。図８は、この時に表示画面６に表示されるメニューの一例を示す図であり、先に図５に示した再生モード時に表示されるメニューとの違いは、トップメニューとして表示される項目の１つが「アルバム登録」から「アルバム選択」に置き換わる点にある。
【００３０】
そして、この「アルバム選択」ｆを選択するためのＸＹ操作ボタン４およびＯＫボタン５の操作が本体操作部２３から通知されると、表示制御部２１ｂは、アルバム登録時と同様、図６に示したようなアルバム一覧を表示する。これにより、種々の情報を一望しながら、再生するアルバムを選択することができることになる。いずれかのアルバムが選択されると、表示制御部２１ａは、そのアルバムに登録された画像データを画像記録媒体２６から順次読み出していき、その画像データを全画面表示するための画像を画像処理部２４に作成させて、画像表示部２５に表示していく。
【００３１】
図９は、予め用意されたアルバムすべてを選択肢として一覧表示する場合の動作手順を示すフローチャートである。
【００３２】
アルバムの番号を「ｉ」とする。ＣＰＵ２１の管理部２１ａは、まず、アルバムの番号である「ｉ」を１として、全アルバムの中から先頭のアルバム（ｉ＝１）を処理対象に設定する（ステップＡ１）。続いて、このアルバムに画像が登録されているかを調べる（ステップＡ２）。もし、１つでも画像が登録されていれば（ステップＡ２のＹＥＳ）、表示制御部２１ｂは、このアルバムを一覧表示する際に用いるオブジェクトとして、開かれたアルバムを模したオブジェクトを選択する（ステップＡ３）。そして、このアルバムの代表画像を画像記録媒体２６から読み出し、その縮小画面を画像処理部２４に作成させて添付する（ステップＡ４）。
【００３３】
さらに、表示制御部２１ｂは、そのアルバムに登録された画像数に応じた画像数マークを添付すると共に（ステップＡ５）、一括処理の設定有無を調べ（ステップＡ６）、設定された一括処理を示す処理マークを添付する（ステップＡ６のＹＥＳ，ステップＡ７）。
【００３４】
一方、このアルバムに画像が１つも登録されていなければ（ステップＡ２のＮＯ）、表示制御部２１ｂは、このアルバムを一覧表示する際に用いるオブジェクトとして、閉じられたアルバムを模したオブジェクトを選択する（ステップＡ８）。
【００３５】
表示制御部２１ｂは、このように選択したオブジェクトをアルバム一覧表示用に所定の位置に配置すると（ステップＡ９）、このアルバムが最後のアルバムかどうかを調べる（ステップＡ１０）。最後でなければ（ステップＡ１０のＮＯ）、ｉ+１→ｉとして次のアルバムを処理対象に設定し直し（ステップＡ１１）、ステップＡ２からの処理を繰り返す。そして、すべてのアルバムについて処理を行うと（ステップＡ１０のＹＥＳ）、表示制御部２１ｂは、オブジェクトの配置が完了したアルバム選択画面を表示する（ステップＡ１２）。
【００３６】
このように、本実施形態のデジタルカメラ１００は、例えば小さな表示面しか確保することのできない機器であっても、画像データを分類整理する操作を視覚的に分かり易く支援することを実現する。
【００３７】
（第２実施形態）
次に、この発明の第２実施形態について説明する。図１０から図１８が第２実施形態についてを説明する図である。
【００３８】
第１実施形態では、画像データをアルバムに登録してグループ単位で分類整理することを説明した。しかし、アルバム管理には、登録順や日時順だけでなく、任意の順番で画像を鑑賞等するために、アルバム内の画像を並べ換える機能も要求される。そこで、この第２実施形態では、この操作を支援するためのガイド表示を限られた表示領域内でも視覚的に分かり易く表示する例を説明する。なお、この第２実施形態に係るデジタルカメラの外観および概略構成は、前述した第１実施形態と同様であるので、ここではその説明を省略する。
【００３９】
本実施形態のデジタルカメラ１００でアルバム内の画像を並べ替える場合、まず、モードダイヤル３を操作して、動作モードをアルバムモードに設定する。図１０は、アルバム選択画面である。実施形態１では、マルチ画面形式で複数のアルバムが一括して表示されたが、この実施形態ではアルバムが一つづづ表示されるような形式である。アルバムには代表画像が表示される。また、表示アルバムの切換えは、同図左下のアイコンで示されるように、ＸＹ操作ボタン４の左右ボタンで画面を左右にスクロールさせて行う。そして、希望のアルバムが表示されたら、ＯＫボタン５を押下して選択する。この操作が本体操作部２３から通知されると、表示制御部２１ｂは、その代表画像、つまりそのアルバムの先頭の画像を全面表示するための画像を画像処理部２４に作成させ、画像表示部２５に表示させる。図１１は、選択されたアルバムの先頭画像が全画面表示された画面である。
【００４０】
図１２は、この時に表示画面６に表示されるメニューの一例を示す図である。図１１の状態で、メニューを表示させる操作（例えばＯＫボタン５の押下）が行われ、その操作が本体操作部２３から通知されると、表示制御部２１ｂは、表示中の画像に重畳させてメニューを表示するように画像処理部２４および画像表示部２５に指示する。
【００４１】
ここで表示されるメニューには、「並べ替え」、「解除」、「全コマ解除」、「消去」の各項目が表示される。そして、操作者によって、この中から「並べ替え」ｇがＸＹ操作ボタン４およびＯＫボタン５で選択されたとする。
図１３は、「並べ替え」が選択されたときの画面である。「並べ替え」選択の操作を本体操作部２３から通知された並び替え部２１ｄは、その時点で全画面表示されていた画像の縮小画像ｈ１を表示する。そして、各画像の並び順番を示すためのオブジェクトｈ０が横一列に配列されたオブジェクトｈ２を、縮小画像ｈ１の下に表示する。アルバムの中の各画像は原則撮影順番に並べられるが、オブジェクトｈ２の中の６つのオブジェクトｈ０が、このアルバムの中の順番に並んだ６枚分の画像を代用して示している。画像が７枚以上ある場合には、ＸＹ操作ボタン４の左右ボタンの操作でオブジェクトｈ０がスクロール移動される。
６つオブジェクトｈ０の一番左がこのアルバムの先頭画像でかつ代表画像に相当する。そして、この先頭画像が縮小画像ｈ１で表示されている。そして、現在の表示画像位置を示すために、この先頭のオブジェクトｈ０が太線枠のフォーカスｈ３で囲われている。
図１４は、並び替え画面の最初の画面である。ＸＹ操作ボタン４の操作に応じて、このフォーカスｈ３を左右に移動させる。表示制御部２１ｂと並び替え部２１ｄは、同図に示すように、このフォーカスｈ３の移動に伴って縮小画像ｈ１を切り換えるべく、画像記録媒体２６からの画像データの読み出しや、画像処理部２４および画像表示部２５の制御を実行する。
【００４２】
図１５は、並び替え画面の２番目の画面である。同図にはアルバム内で３番目の画像が表示されているが、この画像を並べ替えするものとする。この状態でＯＫボタン５が押下されると、この操作を本体操作部２３からの通知された並び替え部２１ｄは、今度は、同図に示すように、この画像の移動先を指示するためのオブジェクトｈ４をフォーカスｈ３の隣、つまりオブジェクトｈ０の３番とオブジェクトｈ０の４番の間に表示させる。
図１６は、並び替え画面の３番目の画面である。このオブジェクトｈ４の表示後、ＸＹ操作ボタン４を操作すると、並び替え部２１ｄは、フォーカスｈ３とオブジェクトｈ４とを連なって移動させる。表示制御部２１ｂは、同図に示すように、このフォーカスｈ３およびオブジェクトｈ４の移動に伴って縮小画像ｈ１を切り換えるために、画像記録媒体２６からの画像データの読み出しや、画像処理部２４および画像表示部２５の制御を実行する。
【００４３】
ここで表示される画像は、並べ替え対象の画像を移動させる先の前画像である。つまり、アルバム内で６番目の画像である。操作者は、移動先が決定したらＯＫボタン５を押下する。この操作を本体操作部２３からの通知された並び替え部２１ｄは、並べ替え対象の画像（アルバム内で３番目の画像）をこの画像（アルバム内で６番目の画像）の後ろに挿入する。これで、並べ替えが終了する。
このように、各画像の並びを示すためのオブジェクトｈ０を配列させ、かつ、この配列上に移動先を指定するためのオブジェクトｈ３を表示することで、このデジタルカメラ１００は、アルバム内の画像の並べ替え操作を支援するためのガイド表示を限られた表示領域内でも視覚的に分かり易く表示することを実現する。
【００４４】
次に、図１７および図１８を参照して、アルバム内の画像を並べ替える場合の動作手順を説明する。図１７は、この並べ替え時の基本フローである。
【００４５】
ＣＰＵ２１の管理部２１ａは、アルバムモードに移行するためのダイヤル操作を本体操作部２３から通知されると（ステップＢ１）、アルバムモードに設定し（ステップＢ２）、続いて、並び替えを行うためのメニュー操作を本体操作部２３から通知されると（ステップＢ３）、並び替え部２１ｄは並び替え処理を実行する（ステップＢ４）。並び替え処理は、図１８にその詳細なフローを示す。
【００４６】
並び替え処理を実行する場合、表示制御部２１ｂと並び替え部２１ｄは、並び替え用の画面を画像表示部２５に表示させる（ステップＣ１）。そして、この画面で、まず、並び替え画像の選択操作を受け付ける（ステップＣ２）。そして、選択が行われると、該当の画像を表示し（ステップＣ３）、今度は、並び替え位置の選択操作を受け付け（ステップＣ４）、この操作に応じてカーソル（オブジェクトｈ４）を移動させ（ステップＣ５）、その前の位置の画像を表示する（ステップＣ６）。
【００４７】
そして、表示制御部２１ｂと並び替え部２１ｄは、確定操作が行われるまで、このステップＣ４からの処理を繰り返し、確定操作が行われたら（ステップＣ７のＹＥＳ）、並び替え画像を並び替え位置に移動させる（ステップＣ８）。
【００４８】
このように、本実施形態のデジタルカメラ１００は、例えば小さな表示面しか確保することのできない機器であっても、画像データを分類整理する操作を視覚的に分かり易く支援することを実現する。
【００４９】
なお、前述した各実施形態において、表示中の画像に重畳させてメニューを表示する例を示したが（図５等参照）、本発明の画像管理装置では、このメニューをより見やすくための仕組みを備える。図１９は、この仕組みを説明するための概念図であり、まず、グラデーションの半透明のグラフィックの上に、選択項目の文字を載せる（ｉ１）。選択項目は不透明かつ平面的な処理を行い、非選択項目には半透明グラデーションによる立体表現を行うことで、立体と平面および透明と不透明によって、フォーカスエリアを目立たせる効果を生み出すことができる。
【００５０】
また、このメニューグラフィックｉ１とモニタ画ｉ２との間に、黒の半透明のシートｉ３を挿入したかのように、モニタ画ｉ２のコントラストを落とすことにより、メニュー文字を浮き立たせる効果を生み出している。
【００５１】
以上の第１の実施形態で図９に示す制御処理および第２の実施形態で図１７，１８に示す制御処理は、それぞれ上記機能を実行するソフトウェアのプログラムがＣＰＵ２１に供給され、ＣＰＵ２１が供給されたプログラムに従って上記動作させることによって実現されるものである。
【００５２】
従って、上記ソフトウェアのプログラム自体が上述した実施の形態の機能を実現することになり、そのプログラム自体は本発明を構成する。
【００５３】
また、これらのプログラムは前述のＲＯＭ２２以外の記録媒体の形式でＲＡＭに記憶され、ＲＡＭから読み出されて実行されても良い。更に、上記プログラムは画像管理装置２０に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００５４】
また、専用通信ネットワークやインターネットに接続されたサーバシステムに設けたハードディスクまたはＲＡＭ等の格納装置を記録媒体として使用し、通信網を介してプログラムを画像管理装置２０に提供してもよい。あるいは、他のアプリケーションソフト等と協働して上述の実施の形態の機能が実現される場合にも、かかるプログラムが本発明の実施の態様に含まれることはいうまでもない。
また、上記２つの実施例は、ＣＰＵによるソフトウェア処理で実行されることを説明したが、一部または全部をハードウェアで構成しても当然よい。
【００５５】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の第１実施形態に係るデジタルカメラを後方から見た場合の外観図
【図２】同第１実施形態のデジタルカメラの概略構成を示すブロック図
【図３】同第１実施形態のデジタルカメラが再生モードに設定された際に表示する画像の一覧画面を例示する図
【図４】同第１実施形態のデジタルカメラが再生モード時に表示するトップメニューを例示する図
【図５】図４のトップメニューで「モードメニュー」が選択された場合に表示されるサブメニューを例示する図
【図６】図５のサブメニューで「アルバム登録」が選択された場合に表示されるアルバム選択画面を例示する図
【図７】同第１実施形態のデジタルカメラで一括処理の設定がなされたアルバムに添付するマークを示すための図
【図８】同第１実施形態のデジタルカメラがアルバムモード時に表示するトップメニューを例示する図
【図９】同第１実施形態のデジタルカメラが予め用意されたアルバムすべてを選択肢として一覧表示する場合の動作手順を示すフローチャート
【図１０】同第２実施形態のデジタルカメラがアルバムモード時に表示するアルバム選択画面を例示する図
【図１１】図１０のアルバム選択画面でいずれかのアルバムが選択された際に表示される全画面表示を例示する図
【図１２】図１１の画像に重畳させて表示されるメニューを例示する図
【図１３】図１２のメニューで「並び替え」が選択された場合に表示される画面を例示する図
【図１４】同第２実施形態のデジタルカメラにおいて並び替え画像を選択させるためのガイド表示を説明するための図
【図１５】同第２実施形態のデジタルカメラにおいて並び替え画像の移動先を選択させるためのガイド表示を説明するための第１の図
【図１６】同第２実施形態のデジタルカメラにおいて並び替え画像の移動先を選択させるためのガイド表示を説明するための第２の図
【図１７】同第２実施形態のデジタルカメラがアルバム内の画像を並べ替える場合の動作手順をを示す第１のフローチャート（基本フロー）
【図１８】同第２実施形態のデジタルカメラがアルバム内の画像を並べ替える場合の動作手順をを示す第１のフローチャート（並び換え処理の詳細フロー）
【図１９】同第１および第２実施形態のデジタルカメラが表示中の画像に重畳させて表示するメニューをより見やすくするために備える仕組みを説明するための概念図
【符号の説明】
【００５７】
１…電源ボタン、２…ズームレバー、３…モードダイヤル、４…ＸＹ操作ボタン、５…ＯＫボタン、６…表示画面、１０…画像撮像装置、１１…レンズ、１２…レンズ駆動部、１３…撮像素子、１４…撮像部、２０…画像管理装置、２１…ＣＰＵ、２２…ＲＯＭ、２３…本体操作部、２４…画像処理部、２５…画像表示部、２６…画像記録媒体、１００…デジタルカメラ。
【図１】
2006148874.tif 000003
【図２】
2006148874.tif 000004
【図３】
2006148874.tif 000005
【図４】
2006148874.tif 000006
【図５】
2006148874.tif 000007
【図６】
2006148874.tif 000008
【図７】
2006148874.tif 000009
【図８】
2006148874.tif 000010
【図９】
2006148874.tif 000011
【図１０】
2006148874.tif 000012
【図１１】
2006148874.tif 000013
【図１２】
2006148874.tif 000014
【図１３】
2006148874.tif 000015
【図１４】
2006148874.tif 000016
【図１５】
2006148874.tif 000017
【図１６】
2006148874.tif 000018
【図１７】
2006148874.tif 000019
【図１８】
2006148874.tif 000020
【図１９】
2006148874.tif 000021